(57)【特許請求の範囲】
【請求項１】
電動工具のハウジングに設けられた、モータのブラシ装着用の開口窓を閉塞するカバーを備える、電動工具であって、
前記カバーは、前記ブラシの数に対応して複数設けられているとともに、少なくとも二つの前記カバーは、前記ハウジングに対して一つのカバー取付部材によって取付けられていることを特徴とする電動工具。
【請求項２】
請求項１に記載の電動工具であって、
ハウジングは、ハウジング構成部材によって分割構成されているとともに、これらハウジング構成部材を相互に固定する複数の固定部材を有し、
前記固定部材のうちの少なくとも一つは、カバー取付部材を兼用する構成になっていることを特徴とする電動工具。
【請求項３】
請求項１または２に記載の電動工具であって、
少なくとも一つのカバーは、開口窓を閉塞した閉塞位置と、開口窓を開放した開放位置とに移動可能にハウジング側に支持されており、カバー取付部材によって前記閉塞位置で固定される構造になっていることを特徴とする電動工具。
【発明の詳細な説明】
【０００１】
【発明の属する技術分野】
この発明は、電動工具のモータがブラシを備えている型の電動工具に関する。
【０００２】
【従来の技術】
モータのブラシは、消耗部品であって交換が必要である。したがって従来の電動工具は、ブラシを交換するための構造として、ブラシ装着用の開口窓がハウジングに設けられているとともに、その開口窓を閉塞するカバーがハウジングに脱着可能に取付けられていた。
【０００３】
【特許文献１】
特開平６−２３３４９９号公報
【特許文献２】
特開２０００−１１６０７２号公報
【０００４】
【発明が解決しようとする課題】
しかしブラシは、一つのモータに複数設けられているため、上記のカバーは、各ブラシの数に対応して複数設けられ、それぞれが別々にハウジングに取付けられていた。したがってブラシを交換するためには、各カバーをそれぞれ別々に脱着する必要があって面倒であった。
また上記と異なる構造を備える電動工具も知られている。例えばカバーが大きく、そのカバーによって複数の開口窓を覆うことが可能な構成を備える電動工具が知られている。しかしこのカバーは、ハウジングの形状を考慮した複雑な形状にする必要があるとともに、電動工具全体の重量を重くするという問題があった。
そこで本発明は、上記の問題点に鑑みて、カバー形状を大きくすることなく、ブラシの交換を容易に行うことができる合理的な構成を備えた電動工具を提供することを課題とする。
【０００５】
【課題を解決するための手段】
前記課題を解決するために本発明は、上記各請求項に記載の通りの構成を備える電動工具であることを特徴とする。
請求項１に記載の発明によれば、電動工具は、ハウジングとカバーを備え、そのハウジングにはモータのブラシ装着用の開口窓が形成されており、カバーがその開口窓を閉塞する構造になっている。
そして前記カバーは、ブラシの数に対応して複数設けられているとともに、少なくとも二つのカバーは、ハウジングに対して一つのカバー取付部材によって取付けられている。
すなわち一つのカバー取付部材を取付けることで、複数（少なくとも二つ）のカバーがハウジングに対して取付けられ、その一つのカバー取付部材を取外すことで、複数のカバーがハウジングから取外される構造である。
【０００６】
したがって一つのカバー取付部材を取外すことで、複数のカバーを取外すことができ、複数のブラシ装着用の開口窓が開口状態にされる。これによって複数のブラシは、交換可能な状態になる。そしてブラシの交換をした後には、一つのカバー取付部材を取付けることで、複数のカバーをハウジングに取付けることができ、複数の開口窓を閉塞状態にできる。
したがって複数のカバーの脱着を容易にでき、これによってブラシの交換を容易に行うことができる。
【０００７】
またカバーは、ハウジングに形成された開口窓を閉塞するものであるが、その数は複数設けられている。したがってカバーは、開口窓にほぼ対応した形状にすることができ、比較的その形状を小さくすることができる。したがってカバーは、設計自由度が高く、例えば開口窓を快適に閉塞する形状にできたり、あるいは体積を小さくすることで軽量にすることができる。
なお一つのカバー取付部材により複数のカバーが取付けられる構造を多重的に設定してもよいし、異なる構造のカバーやカバー取付部材を適宜組合わせた構造であっても構わない。
【０００８】
また請求項２に記載の発明によれば、請求項１に記載の電動工具であって、ハウジングは、ハウジング構成部材によって分割構成されているとともに、これらハウジング構成部材を相互に固定する複数の固定部材を有する。そして前記固定部材のうちの少なくとも一つは、カバー取付部材を兼用する構成になっている。
すなわちカバー取付部材が、ハウジングの固定部材により構成されており、新たな部品を設けることなく、既存の固定部材を利用して構成されている。
そのため電動工具は、部品点数の少ない構成となり、部品コストの低減あるいは組付工数の低減を図ることができる。
なおカバー取付部材の数は、一個に限定されず複数個あっても良く、その場合のカバー取付部材は、それぞれが固定部材の各一つを利用する構成であっても構わない。
【０００９】
また請求項３に記載の発明によれば、請求項１または２に記載の電動工具であって、少なくとも一つのカバーは、開口窓を閉塞した閉塞位置と、開口窓を開放した開放位置とに移動可能にハウジング側に支持されており、カバー取付部材によって閉塞位置で固定される構造になっている。
すなわちカバーは、カバー取付部材を取外した際にもハウジング側に支持されており、支持された状態のまま開放位置に移動できる。したがってカバーをハウジング側から脱落させることなくブラシ交換を行うことができる。そのためカバーを失ってしまうことを防止でき、ブラシの交換を容易に行うことができる。
なおカバーが移動可能にハウジング側に支持される構造には、次の構造が挙げられる。例えばカバーが回動可能にハウジング側に支持される構造、あるいはカバーがスライド可能にハウジング側に支持される構造、あるいはカバーが折畳み可能な構造であって、折畳まれることで閉塞位置と開放位置とに移動する構造である。
【００１０】
【発明の実施の形態】
（実施の形態１）
以下に本発明の一実施の形態であるアングルドリル１を図１〜３にしたがって説明する。なおアングルドリル１は、本発明の電動工具に相当する。
アングルドリル１は、図１に示すように図１の左側より電源ユニット１４、モータユニット１５、及びアクチュエータユニット１６を備えて構成されている。これらユニットは、それぞれがハウジング２０，２１，１６ａを備え、これらがアングルドリル１のハウジングをなしている。
なおハウジング２０は、本発明の「ハウジング」に相当し、ハウジング２１は、モータハウジングである。
【００１１】
モータユニット１５は、図１に示すようにそのハウジング２１内にモータ４を備えている。このモータ４は、整流子型のモータであって、例えば直流形整流子モータ、交流形整流子モータである。
モータ４は、図１に示すように磁束をつくる磁界部４０と、トルクを発生させるロータ部４１と、ロータ部４１への電流を整流にする整流子４８とを備えて構成されている。
【００１２】
磁界部４０は、図１に示すようにハウジング２１側に固定されるステータであって、ハウジング２１の軸周りに沿って所定の間隔で配列されている。そしてこれら複数の磁界部４０は、ロータ部４１を挟んで対向した位置に配された複数の対（例えば、二対）をなしている。なお磁界部４０は、軟鉄に巻線を取付けた電磁石であってもよいし、永久磁石などであってもよい。
またロータ部４１は、図１に示すように長手軸を軸中心として磁界部４０間を回動するものである。そしてロータ部４１の回動軸両端には、支持軸４６と出力軸４７が設けられており、支持軸４６と出力軸４７がそれぞれベアリングを介してハウジング２１に回動可能に取付けられている。
またハウジング２１の一端側には、図１に示すようにハウジング２１の一部をなし、かつロータ部４１の支持軸４６を支持するハウジングキャップ２１ａが設けられている。
【００１３】
整流子４８は、図１に示すようにロータ部４１とともに回動する構成となっており、軸周り状に等間隔で配列された導電性のある整流子片と、これら整流子片間を絶縁にする絶縁材とを備えて構成されている（図２参照）。
また整流子４８には、図２に示すようにブラシ４２が当接されている。このブラシ４２は、整流子４８側へ電流を流すものであるが、図２に示すようにハウジングキャップ２１ａに固定されている。したがって整流子４８がロータ部４１とともに回動し、ブラシ４２がハウジングキャップ２１ａ側に固定された状態で整流子４８へ電流を流す。すなわち整流子４８によって電流を整流にしている。
【００１４】
ブラシ４２は、図２に示すようにブラシユニット４５としてハウジングキャップ２１ａに脱着可能な構成となっている。
このブラシユニット４５は、図２，３に示すように略筒状に形成された板金製のブラシホルダ４３と、その内部にスライド可能に挿着される直方体のブラシ４２と、ブラシ４２を整流子４８側へ付勢するコイルバネとを備える。そしてブラシホルダ４３の一端側には、ブラシ４２とコイルバネとを支持するブラシキャップ４４が装着されている。
ハウジングキャップ２１ａ側は、図２，３に示すようにブラシホルダ４３をスライド挿入可能とする略筒形状に形成されたブラシ挿入孔２１ｂが設けられている。
したがってブラシユニット４５は、ハウジング２１に対して脱着可能に装着できる構成であって、装着された状態においてブラシ４２が整流子４８に当接できる構成になっている。
なおブラシ４２は、カーボンを素材として形成されたカーボンブラシである。
【００１５】
電源ユニット１４は、図１に示すように電源回路７と、電源回路７を保護するハウジング２０（リヤハウジング）を主体に構成されている。
電源回路７は、図１に示すようにハウジングキャップ２１ａに固定されており、これによって電源回路７がモータユニット１５と接続されている。
また電源回路７には、図１に示すように電源コード８が電気的に接続されており、電源が供給される。そして電源回路７は、この供給された電源を調整し、モータ４に調整した電源を供給して、モータ４の回転数を調整する。
例えば図１に示すようにトリガ２４がハウジング２０に回動可能に設けられ、このトリガ２４の押し込み量に応じてモータ４の回転数を調整できる構成であったり、あるいはモータ４の負荷状態を感知するセンサを備え、そのセンサからの信号によってモータ４の回転数を調整できる構成などである。
【００１６】
ハウジング２０は、図２に示すようにハウジング構成部材２０ａ，２０ｂによって分割構成されている。換言するとハウジング２０は、長手方向に分割された複数（例えば二つ）のハウジング構成部材２０ａ，２０ｂ、あるいは半割れ（二つ割れ）構成のハウジング構成部材２０ａ，２０ｂを備えて構成されている。
そしてこれらハウジング構成部材２０ａ，２０ｂは、図１に示すように複数の固定部材１０〜１３によって相互に固定されている。
またハウジング構成部材２０ａ，２０ｂは、図１に示すようにモータユニット１５のハウジング２１の一部を覆うように固定されており、これによってハウジング２０がハウジング２１に取付けられている。
またハウジング構成部材２０ａ，２０ｂには、図３に示すようにブラシ装着用の開口窓２３が設けられており、開口窓２３によってブラシユニット４５が露出されている。
【００１７】
そしてハウジング構成部材２０ａ，２０ｂには、それぞれ図１に示すように開口窓２３を閉塞するカバー３が装着されている。開口窓２３及びカバー３は、ブラシ４２の数に対応して複数設けられており、例えば図２に示すように各二つずつ設けられている。また、これら開口窓２３及びカバー３は、ブラシ４２の上方に配されており、軸中心を挟んでほぼ対向状に配されている。
したがってカバー３は、図３に示すようにハウジング２０から取外されることで、ブラシユニット４５を露出し、ブラシユニット４５（ブラシ４２）を脱着可能（装着可能）にする。またカバー３は、図１に示すようにハウジング２０に装着されることで開口窓２３を覆い、これによって開口窓２３からのハウジング２０内へのゴミの侵入を防止している。
【００１８】
カバー３は、図２に示すように固定部材１０〜１３のうちの一つである固定部材１０によって取付けられており、固定部材１０は、カバー取付部材を兼用している。すなわち固定部材１０は、本発明の「固定部材」及び「カバー取付部材」の両者に相当する。
この固定部材１０は、図２に示すように頭部１０ａと、脚部１０ｂとを備えるボルト部と、その脚部１０ｂが螺合されるナット部１０ｃとを備えて構成されている。
【００１９】
一方、ハウジング構成部材２０ａ，２０ｂのそれぞれには、図２に示すように凹部２０ｄが設けられており、その凹部２０ｄの底面には、固定部材１０の脚部１０ｂを挿入するための挿入穴２０ｃが設けられている。
したがって固定部材１０は、図２に示すように頭部１０ａがハウジング構成部材２０ｂ側の凹部２０ｄ内に設置され、ナット部１０ｃがハウジング構成部材２０ａ側の凹部２０ｄ内に設置された状態で、ハウジング構成部材２０ａ，２０ｂに取付けられている。これによってハウジング構成部材２０ｂがナット部１０ｃを介して支持され、ハウジング構成部材２０ａが頭部１０ａを介して支持される。
【００２０】
またナット部１０ｃと頭部１０ａとの距離は、脚部１０ｂのナット部１０ｃへの螺合量によって調整可能であって、この距離を調整することでハウジング構成部材２０ａ，２０ｂ同士の固定強さが調整できる構造になっている。
また固定部材１０の頭部１０ａ及びナット部１０ｃは、それぞれが凹部２０ｄ内に配設されるため、ハウジング構成部材２０ａ，２０ｂから突出せずに取付けられる。そのためハウジング２０は、その意匠性が向上されるとともに、握りやすさが向上されている。
【００２１】
またカバー３は、図３に示すように開口窓２３を閉塞するカバー本体部３０と、カバー本体部３０から延出する延出部３１とを主体に構成されている。
延出部３１は、図３に示すように固定部材１０の脚部１０ｂ挿入用の取付穴３１ａを有している。また延出部３１は、図２に示すように凹状に形成されており、ハウジング構成部材２０ａ，２０ｂに形成された凹部２０ｄに倣った形状になっている。
【００２２】
したがってカバー３は、図２に示すようにハウジング構成部材２０ａ，２０ｂの形状に倣った状態で設置される。そしてカバー３を設置した状態で固定部材１０を取付けた場合、固定部材１０の頭部１０ａ及びナット部１０ｃがそれぞれ延出部３１の凹状内に設置され、固定部材１０がハウジング構成部材２０ａ，２０ｂ（カバー３）から突出しない状態になる。
したがってハウジング構成部材２０ｂに設置された側のカバー３は、頭部１０ａを介して支持され、ハウジング構成部材２０ａに設置された側のカバー３は、ナット部１０ｃを介して支持される。
【００２３】
すなわち複数のカバー３は、図２に示すように一つの固定部材１０によってそれぞれが支持されることで、ハウジング構成部材２０ａ，２０ｂ（ハウジング２０）に取付けられている。
したがって固定部材１０は、図２に示すように複数のハウジング構成部材２０ａ，２０ｂ同士を装着すると同時に、複数のカバー３を一度にハウジング構成部材２０ａ，２０ｂへ取付けている。
【００２４】
またハウジング構成部材２０ａ，２０ｂには、図２に示すように開口窓２３を形成する壁面から開口中心側へ張出した張出し部２０ｅが形成されており、カバー本体部３０がこれら張出し部２０ｅに設置されている。したがってカバー３とハウジング２０との接触面積が広くなっており、ゴミなどがその隙間から入りにくい構造になっている。
またカバー本体部３０及び開口窓２３は、図１に示すように作業者がブラシユニット４５を保持しやすいように、横長形状になっている（軸方向側の幅が縦方向側の幅よりも長くなっている）。
また延出部３１は、カバー本体部３０の後方下側から下方へ延出している。したがって固定部材１０の取付位置が整流子４８から遠くなり、これによって整流子４８の破損の可能性を低くしている。
【００２５】
またハウジングキャップ２１ａには、図２に示すように厚み方向に貫通した貫通孔２１ｃが設けられている。このハウジングキャップ２１ａには、図２に示すようにその両側からハウジング構成部材２０ａ，２０ｂが設置され、その両側からさらにカバー３が設置されている。そして固定部材１０がこの貫通孔２１ｃを貫通するように設置されている。
したがって固定部材１０は、複数のハウジング構成部材２０ａ，２０ｂをハウジング２１に取付け、さらに複数のカバー３もハウジング２１に取付けている。
【００２６】
また固定部材１３も、図への記載は省略しているが（図１参照）、ハウジング構成部材２０ａ，２０ｂをハウジングキャップ２１ａの両側から挟んだ状態において固定している。そして固定部材１３の脚部は、ハウジングキャップ２１ａに設けられた貫通孔に配設されている。
また固定部材１１，１２は、図への記載は省略しているが（図１参照）、電源回路７の基盤に設けられた貫通孔に貫通して取付けられている。したがって固定部材１１，１２は、ハウジング構成部材２０ａ，２０ｂ同士を固定すると同時に、電源回路７をハウジング構成部材２０ａ，２０ｂに位置決めしている。
【００２７】
固定部材１０は、図２に示すようにブラシユニット４５の挿入方向とほぼ平行にハウジング２０に内挿されている。また他の固定部材１１〜１３も図への記載は省略しているが、固定部材１０とほぼ平行にハウジング２０に内挿されている。したがって固定部材１０〜１３の配列は、図１に示すように見栄えが良くなっている。またハウジング２０は、固定部材１０〜１３が挿入される複数の凹部２０ｄのそれぞれの方向がほぼ同方向に形成されている。したがってハウジング２０は、その成形が容易な構造になっている。また固定部材１０〜１３は、その脱着において同方向にドライバ等を設置できるため、その脱着工程が容易に行える構造になっている。
カバー３の延出部３１は、図２に示すようにそれぞれが同方向（下方）へ延出する形状になっている。したがって延出部３１同士を結んだ線は、軸中心を避けた位置になり、整流子４８を避けた位置になる。そのため延出部３１同士を装着する固定部材１０は、整流子４８を避けて取付けられる。
【００２８】
また固定部材１０のナット部１０ｃは、図２に示すようにカバー３に設けられた凹部に圧入（装着）されている。したがってナット部１０ｃは、固定部材１０を装着する際に凹部に設置する必要がない。また固定部材１０を装着する際に、回転しないようにナット部１０ｃを保持する必要もなく、また固定部材１０を取外した際に、ナット部１０ｃを失わないように保管する必要もない。
また他の固定部材１１〜１３のナット部は、図への記載は省略しているが（図２参照）、ハウジング構成部材２０ａの凹部２０ｄに圧入されてハウジング構成部材２０ａ側に装着されている。そして固定部材１１〜１３の頭部は、ハウジング構成部材２０ｂの凹部２０ｄに当接されて設置される。
【００２９】
アクチュエータユニット１６は、モータ４の出力トルクを伝達する複数のギヤと、これらギヤを保護するハウジング１６ａとを備えて構成されている。またアクチュエータユニット１６は、ドライバビットが取付けられるチャック１６ｂを備えており、チャック１６ｂは、ギヤ等によってモータ４の出力トルクを略９０度変換した方向に回動する構成になっている。
【００３０】
以上のようにアングルドリル１が構成される。
すなわちアングルドリル１は、複数（例えば二つ）のカバー３を備え、これら複数のカバー３は、一つの固定部材１０（カバー取付部材）によってハウジング２０側に取付けられている。したがって一つの固定部材１０を取外すことで複数のカバー３を同時にハウジング２０側から取外すことができ、取付けることで複数のカバー３を同時にハウジング２０側に取付けることができる。その結果、複数のカバー３の脱着が容易であって、ブラシユニット４５（ブラシ４２）の脱着を容易に行える。
【００３１】
またカバー３は、開口窓２３よりも一周り大きいだけの形状に構成することができ、比較的小さな形状に構成可能である。したがってカバー３は、複雑な形状にしたり、取扱いが容易な構成にすることが容易な構成、すなわち設計の自由度が高い構成にできる。
またカバー３を取付けるための部材は、固定部材１０〜１３の一つ（固定部材１０）を利用（兼用）して行われている。したがってアングルドリル１は、その部品点数が少ない構成となり、部品コストの低減、あるいは組付工数の低減を図ることができる。
【００３２】
なお本発明は、上記の実施形態に限定されず以下の形態であってもよい。
（１）すなわち本実施の形態では、二つのカバーが一つのカバー取付部材（固定部材）によってハウジングに取付けられる構成になっているが、三つ以上のカバーを有している場合であって、これらが一つのカバー取付部材によって取付けられる構成であってもよい。例えばカバー取付部材が、カバーをそれぞれ支持する支持部と、これら複数の支持部をそれぞれ連結する連結部とを備え、一つの支持部を回動させることで、他の支持部が前記連結部を介して回動し、これによって複数の支持部がそれぞれハウジングに対して脱着ないし移動する構成である。この連結部の構成は、例えば複数の歯車を組合わせた構造、あるいはフック継手を有するリンク構造などが挙げられる。
（２）また本実施の形態では、複数のカバーが一つの固定部材（カバー取付部材）によってハウジングに対して脱着可能に取付けられていた。しかし、複数のカバーがそれぞれハウジングに対して回動可能に取付けられており、そのカバーの回動によってハウジングの開口窓を開閉できる構成を備えた電動工具であって、少なくとも二つのカバーは、前記ハウジングに対して一つの固定部材によってそれぞれの回動が不能とされる構造になっていることを特徴とする電動工具であってもよい。
この構造によると、複数のカバーを一つの固定部材によって回動可能・回動不能にできる。したがってこの構成によっても複数のブラシの交換を容易に行うことができる。
（３）また本実施の形態では、アングルドリルを記載しているが、電動モータを備える電動工具であって、そのモータがブラシを備えるものであれば何でも良く、例えばドライバ、カッタ、切断機、グラインダ、マルノコ等の回転工具でも良い。
【００３３】
（実施の形態２）
次に、実施の形態２を図４〜９にしたがって説明する。
実施の形態２は、実施の形態１とほぼ同様に形成されたアングルドリルである。したがって実施の形態１と同一の部品に同一番号を利用しつつ、実施の形態１と異なる部分についての説明を以下にする。
実施の形態２の電源ユニット１４は、図４に示すように電源回路７を保護するハウジング５０を有する。ハウジング５０は、図６に示すようにハウジング構成部材５０ａ，５０ｂによって分割構成されている。そしてハウジング構成部材５０ａ，５０ｂは、固定部材６０〜６３によって相互に固定されている（図４，７参照）。
【００３４】
またハウジング５０は、図４に示すようにブラシユニット（４５）を装着するための開口窓５１を有する。そしてハウジング５０側には、開口窓５１を閉塞するためのカバー７０が取り付けられている。
カバー７０は、ハウジング５０の軸方向に延出した横長形状を有する。そして図９に示すようにカバー７０の一端側（電源コード８側）がハウジング５０側に対して回動可能に支持されている。したがってカバー７０は、開口窓５１を閉塞した閉塞位置と、開口窓５１を開放した開放位置とに移動（回動）する。
なお開口窓５１とカバー７０（８０）は、図５，９に示すようにブラシユニット４５（ブラシ）の数に対応して複数設けられており、例えば各二つずつ設けられている。
【００３５】
カバー７０，８０は、図５に示すように板状のカバー本体部７４，８４を有する。そしてカバー本体部７４，８４の一端寄りには、回動軸となる軸構造が設けられている。この軸構造は、カバー本体部７４，８４の裏面からハウジング５０の内部へ延出するリブ７１，８１と、リブ７１，８１の先端に設けられた略円柱状の回動軸７２，８２を有する（図６参照）。したがって軸構造は、ハウジング５０内に形成され、アングルドリルの美観性を損わない。
【００３６】
一方ハウジング５０内には、図５に示すように各種電気部品（キャブタイヤコード、スイッチ、回路基板などの電源回路７）を支持するホルダー５６が設けられている。そしてこのホルダー５６にカバー７０，８０を回動可能に支持するための複数の支持部５５が一体状に設けられている。
支持部５５は、ハウジング５０の内部側から開口窓５１側に向けて突出し、カバー７０，８０の回動軸７２，８２を回動可能に支持する。したがってカバー７０，８０は、ホルダー５６に対して回動可能に取り付けられ、ホルダー５６を介してハウジング５０側に回動可能（ヒンジ状）に連結される。
【００３７】
またカバー７０，８０は、図７に示すように固定部材６０〜６３のうちの一つの固定部材６０によって閉塞位置において固定される。すなわちカバー７０，８０は、図７に示すように固定部材６０が装着される固定部７３，８３を有する。カバー７０の固定部７３は、固定部材６０の脚部６０ｂが嵌挿される貫通孔を備え、この貫通孔は、第一径部７３ａと第二径部７３ｂを有する。したがって固定部材６０の頭部６０ａが固定部７３の貫通孔内で支持される。
【００３８】
またカバー８０の固定部８３は、カバー本体部８４の裏面からハウジング５０の内部に向けて延出する。そしてその軸中心には、凹部８３ａを有し、その凹部８３ａの構成壁面に固定部材６０の脚部６０ｂの先端が螺合される。したがってカバー８０の表面側には、凹部が形成されず、カバー８０の美観性が向上されている。また実施の形態１のようにナット部１０ｃ（図２参照）が不要であって、部品点数が少ない構造でもある。
【００３９】
またアングルドリルは、図５に示すようにモータを保護するハウジング２１と、そのハウジング２１の一端側に設けられたハウジングキャップ２１ａを有する。ハウジングキャップ２１ａは、図７に示すようにカバー７０，８０の固定部７３，８３間に突出する支持部２１ｄを有する。
支持部２１ｄは、図７に示すように固定部材６０が嵌挿される貫通孔を有し、左右両端には、カバー７０，８０の固定部７３，８３が嵌め込まれる凹部を有する。
【００４０】
またハウジング５０の開口窓５１周囲には、カバー７０，８０がハウジング５０の内部に落ち込まないようにするために、図６〜８に示すように開口窓５１の開口端から開口中心側へ張出す張出片５２が設けられている。
したがって二つのカバー７０，８０は、固定部材６０を締め付けることで相互に近接し、その締め付け方向への移動が張出片５２とハウジングキャップ２１ａによって規制される。かくしてカバー７０，８０は、一つの固定部材６０によって閉塞位置に固定される。そしてハウジング構成部材５０ａ，５０ｂもその固定部材６０によって相互に固定される。
すなわち固定部材６０は、カバー７０，８０を閉塞位置に固定するとともに、ハウジング構成部材５０ａ，５０ｂを相互に固定する。なお固定部材６０は、本発明の「固定部材」と「カバー取付部材」の両方の部材に相当する部材である。
【００４１】
またハウジング構成部材５０ａ，５０ｂは、図７に示すように固定部材６３によって相互に固定される。すなわちハウジング構成部材５０ａ，５０ｂは、固定部材６３が装着される固定部５３，５４を有する。固定部５４は、固定部材６３の脚部６３ｂが嵌挿される貫通孔を有し、貫通孔の第一径部５４ａと第二径部５４ｂによって固定部材６３が貫通孔内で支持される。また固定部５３は、カバー本体部８４の裏面から突出し、その軸中心の凹部５３ａに固定部材６３の先端が螺合される。
また固定部材６３と同様にハウジング構成部材５０ａ，５０ｂは、固定部材６２，６１によっても相互に固定される。
【００４２】
以上のようにして実施の形態２が形成される。したがってカバー７０，８０は、固定部材６０（カバー取付部材）を取外した際にもハウジング５０側に支持されており、支持された状態のまま開放位置に移動できる。したがってカバー７０，８０をハウジング５０側から脱落脱落させることなくブラシ交換を行うことができる。そのためカバー７０，８０を失ってしまうことを防止でき、ブラシの交換を容易に行うことができる。
またカバー７０，８０は、ハウジング５０側から脱落させることなく開放位置から閉塞位置へ移動させることができる。そしてカバー７０，８０は、ハウジング５０側に支持された状態のまま固定部材６０によって閉塞位置で固定される。したがってカバー７０，８０を容易に閉塞位置に固定できる。
【００４３】
（他の実施の形態）
また本発明は、上記の実施形態に限定されず以下の形態であってもよい。
（１）すなわち実施の形態２では、カバーが回動可能にハウジング側に支持されていた。しかしカバーがハウジング側にスライド可能に取り付けられ、スライドすることでハウジングの開口窓を覆う閉塞位置と、開口窓を開放する開放位置とに移動する構造であってもよい。あるいはカバーが蛇腹構造や折畳み構造などによって変体可能な構造であって、変体による移動により閉塞位置と開放位置とに移動する構造であってもよい。
（２）また実施の形態２および上記（１）の形態では、複数のカバーのすべてがハウジング側に対して回動可能に支持されていた。しかし複数のカバーの一つがハウジング側に対して回動可能に支持される構造であってもよい。
（３）また実施の形態２のカバーは、ホルダーを介してハウジング側に回動可能に取り付けられていた。しかしカバーが直接ハウジングに回動可能に取り付けられる形態であってもよい。
【００４４】
【発明の効果】
本発明に係る電動工具によれば、カバー形状を大きくすることなく、ブラシの交換を容易に行うことができる合理的な構成を備えた電動工具を提供することができる。
【図面の簡単な説明】
【図１】アングルドリルの正面図である。
【図２】図１のＡ−Ａ線断面矢視図であって、カバーの取付状態を示す図である。
【図３】カバーを取外した状態におけるアングルドリルの正面図である。
【図４】実施の形態２のアングルドリルの正面図である。
【図５】実施の形態２のアングルドリルの天面からの一部破断面図である。
【図６】図４のＢ−Ｂ線断面矢視図である。
【図７】図４のＣ−Ｃ線断面矢視図である。
【図８】図４のＤ−Ｄ線断面矢視図である。
【図９】実施の形態２のアングルドリルの天面図である。
【符号の説明】
１…アングルドリル（電動工具）
３，７０，８０…カバー
４…モータ
７…電源回路
１０〜１３，６０〜６３…固定部材（１０，６０…カバー取付部材）
１４…電源ユニット
１５…モータユニット
１６…アクチュエータユニット
１６ａ，２０，２１，５０…ハウジング
２０ａ，２０ｂ，５０ａ，５０ｂ…ハウジング構成部材
２１ａ…ハウジングキャップ
２１ｂ…ブラシ挿入孔
２３，５１…開口窓
２４…トリガ
３０，７４，８４…カバー本体部
３１…延出部
４２…ブラシ
４５…ブラシユニット
４８…整流子
【図１】
0004149220.tif 000002
【図２】
0004149220.tif 000003
【図３】
0004149220.tif 000004
【図４】
0004149220.tif 000005
【図５】
0004149220.tif 000006
【図６】
0004149220.tif 000007
【図７】
0004149220.tif 000008
【図８】
0004149220.tif 000009
【図９】
0004149220.tif 000010